(57)【要約】【課題】安価で、かつ安定してシートの引き込み及び送り出しを行うことのできる画像形成装置を提供する。【解決手段】湾曲した反転引き込みパス６７に設けられた正逆転可能な反転ローラ対７８Ａにより、シートＳを一旦反転引き込みパスに引き込んだ後、反転させて送り出す。そして、腰付け部９により、反転ローラ対７８Ａにより引き込まれるシートＳを押圧することにより引き込み方向と直交する方向に撓ませると共に、制御部により腰付け部９の位置を制御し、反転ローラ対７８Ａの逆転によりシートＳを送り出す際には、シートＳの撓み量を、シートＳを引き込む際の撓み量よりも少なくするよう制御する。【選択図】図２
2009137681.tif 000002
【特許請求の範囲】
【請求項１】
画像形成部と、前記画像形成部により画像が形成されたシートを一旦引き込んだ後、前後方向を反転させて送り出す反転部とを備えた画像形成装置において、
前記反転部は、
シートを一旦引き込んで反転させるための反転引き込みパスと、
前記反転引き込みパスに設けられ、シートを前記反転引き込みパスに引き込んだ後、逆転してシートを反転させて送り出す正逆転可能な反転ローラ対と、
前記反転ローラ対により引き込まれるシートを押圧して引き込み方向と直交する方向に撓ませ、かつシートに対する位置が変更可能な押圧部と、
前記押圧部の位置を制御する制御部と、を備え、
前記制御部は、前記反転ローラ対の逆転によりシートを送り出す際には、シートの撓み量をシートを引き込む際の撓み量よりも少なくするよう前記押圧部の位置を制御することを特徴とする画像形成装置。
【請求項２】
前記押圧部は、シートを押圧する押圧部材と、前記押圧部材を、シートを撓ませる第１位置及び前記シートの撓み量をシートを引き込む際の撓み量よりも少なくする第２位置に移動させる移動部材と、を備え、
前記制御部は、前記反転ローラ対の逆転によりシートを送り出す際には、前記移動部材を駆動して前記押圧部材を前記第２位置に移動させることを特徴とする請求項１記載の画像形成装置。
【請求項３】
前記移動部材は、前記押圧部材を前記第１位置又は前記第２位置に選択的に移動させるものであることを特徴とする請求項２記載の画像形成装置。
【請求項４】
前記移動部材は、前記押圧部材を前記第１位置と前記第２位置との間を連続的に移動させるものであることを特徴とする請求項２記載の画像形成装置。
【請求項５】
前記第２位置は、前記押圧部によるシートの撓み量が０となる位置であることを特徴とする請求項２ないし４のいずれか１項に記載の画像形成装置。
【請求項６】
前記制御部は、前記押圧部によるシートの撓み量をシートの剛性及びシートサイズの少なくとも一方に応じて変化させることを特徴とする請求項１ないし５のいずれか１項に記載の画像形成装置。
【請求項７】
前記制御部は、前記シートの撓み量が前記反転ローラ対に達した後に所定の撓み量となるように前記押圧部の位置を制御することを特徴とする請求項１ないし６のいずれか１項に記載の画像形成装置。
【請求項８】
前記押圧部によりシートを、前記反転ローラ対の引き込み方向下流側で押圧することを特徴とする請求項１ないし７のいずれか１項に記載の画像形成装置。
【請求項９】
前記反転ローラ対の逆転により送り出されたシートを搬送する複数の搬送ローラ対を備え、
前記複数の搬送ローラ対のうちの最も上流側の搬送ローラ対に、前記反転ローラ対の逆転により送り出されたシートの先端が到達するときには、前記シートの撓み量が、シートを引き込む際の撓み量よりも少なくなっているように前記制御部が前記押圧部の位置を制御することを特徴とする請求項１乃至８のいずれか１項に記載の画像形成装置。
【請求項１０】
前記押圧部は、シートの画像形成面と反対側の面を押圧することを特徴とする請求項１乃至９のいずれか１項に記載の画像形成装置。
【発明の詳細な説明】
【技術分野】
【０００１】
本発明は、画像形成装置に関し、特に画像形成部により画像が形成されたシートを一旦引き込んだ後、前後方向を反転させて送り出す反転部の構成に関する。
【背景技術】
【０００２】
従来、電子写真方式を利用して画像形成を行う複写機、プリンタ等の画像形成装置においては、トナー像をシートに転写した後、トナー像が転写されたシートを定着装置に搬送してトナー像を定着させることによりシート上に画像を形成するようにしている。
【０００３】
さらに、このような画像形成装置としては、画像が形成されたシートを、再搬送部により再度、画像形成部に搬送し、既にシート上に形成された画像に、新たな画像を重ねて形成するものがある。また、シートの表裏両面に画像形成を行うモード（以下、両面画像形成モードという）を備えているものがある。
【０００４】
なお、両面画像形成モードにより、シートの両面に画像形成を行う場合、画像形成装置内に設けられた反転部によりシートを反転させた後、再度画像形成部に搬送することによって、シートの表裏それぞれに画像形成が行われる。
【０００５】
このような反転部としては、シートを一旦引き込んだ後、前後方向を反転させて送り出すスイッチバック方式を採用したものがある。そして、スイッチバック方式の場合、一面に画像が形成されたシートを搬送パス切換ガイドの切換により、例えば図７の（ａ）に示すように反転引込みパス１６７に導くようにしている。
【０００６】
そして、反転引込みパス１６７に導かれたシートＳを反転ローラ１７８の正転により反転パス内部に導いた後、反転ローラ１７８の逆転により、図７の（ｂ）に示すように送り込まれた際の後端を先頭にして、送り込まれた方向と反対向きに送り出す。
【０００７】
なお、このように前後方向が反転した状態で送り出されたシートＳは、不図示のガイド部材によりガイドされながら両面搬送パス１６８へと送られ、この後、再度、画像形成部に搬送される。また、シートを反転させて排出する場合は、シートＳを反転引込みパス内部に導いた後、反転ローラ１７８の逆転及び不図示のガイド部材の切換えにより反転排紙パス１６９へと送られる。
【０００８】
ところで、近年、画像形成装置において、コート紙や、エンボス紙、厚紙から薄紙、小サイズから大サイズシートまで多種多様なシートに対する画像形成が要望されているが、特に薄紙のような腰の弱い（剛性の小さい）シートではジャムや座屈等が発生し易い。
【０００９】
なお、反転引込みパスが湾曲していると画像形成装置を小型化することができ、かつこの反転引込みパスの曲率は、画像形成装置の小型化といった観点からは大きいことが望ましい。しかしながら曲率の大きな反転引込みパスでは当然シートＳの反転引込みパスへの進入角度が大きくなり、腰の弱い（剛性の小さい）シートＳは、特にジャムや座屈等が起き易い。
【００１０】
この対策として、例えば反転引込みパス１６７の搬送パス切換ガイドのポジションをシートが引き込まれて来る時と、送り出される時とで適正なポジションにすることで、極力ガイドへの衝突を少なくしたものがある（特許文献１参照）。
【００１１】
ところで、従来の画像形成装置では、反転引込みパス以外の箇所においては、次のローラ対へのシートの受け渡しを行うため、画像形成装置が画像形成可能なシートのうち最小のシート長さより短い間隔でローラ対が配置されている。
【００１２】
しかし、反転引込みパス１６７においては、反転ローラ１７８がシートＳを挟持した状態で正転及び逆転を行うことにより、シートの引込み及び送り出しを行うようになっているため、シートを受け渡する次のローラ対は不要となる。このため、図７に示すように、反転ローラ１７８の下流側にはシートＳを引き込むための他のローラ対は設けられていない。
【００１３】
【特許文献１】特開２００１−１０６４０９号公報
【発明の開示】
【発明が解決しようとする課題】
【００１４】
しかしながら、このような従来の画像形成装置においては、反転引き込みパスへ引き込みを反転ローラのみで行った場合、特に薄紙のような腰の弱い（剛性の小さい）シートでは、既述した図７の（ｂ）に示すように座屈やジャムが発生してしまう場合がある。
【００１５】
これは反転引き込みパスへ引き込まれる際、反転引き込みパスを構成するガイド対との摺動抵抗に対してシートの腰（剛性）が負けてしまうためである。このことから、シート搬送方向に対して長いシートの場合、ガイド対との摺動抵抗がより大きくなってしまうので、より座屈やジャムが起き易い。
【００１６】
また、トナー像が転写された後、定着装置を通過する際に加えられる熱や圧力によりシートにはカールが発生する場合があり、このカールによっても反転引き込みパスとの間の摺動抵抗が大きくなる場合がある。そして、このような場合は、更に座屈やジャムが起き易くなる。
【００１７】
なお、この対策として反転ローラの下流側にローラ対を設けるようにすれば、シートが、シート先端がローラ対により保持されていない状態で搬送される距離が短くなるため、反転引き込みパスのガイド対との摺動抵抗が小さくなり、座屈等が発生し難くなる。しかし、このように反転ローラの下流側にローラ対を設けるようにすると、このローラ対分のコストに加え、ローラ対を正逆駆動するための手段が必要になるため、大幅なコストアップになってしまう。
【００１８】
そこで、本発明は、このような現状に鑑みて成されたものであり、安価で、かつ安定してシートの引き込み及び送り出しを行うことのできる画像形成装置を提供することを目的とするものである。
【課題を解決するための手段】
【００１９】
本発明は、画像形成部と、前記画像形成部により画像が形成されたシートを一旦引き込んだ後、前後方向を反転させて送り出す反転部とを備えた画像形成装置において、前記反転部は、シートを一旦引き込んで反転させるための反転引き込みパスと、前記反転引き込みパスに設けられ、シートを前記反転引き込みパスに引き込んだ後、逆転してシートを反転させて送り出す正逆転可能な反転ローラ対と、前記反転ローラ対により引き込まれるシートを押圧して引き込み方向と直交する方向に撓ませ、かつシートに対する位置が変更可能な押圧部と、前記押圧部の位置を制御する制御部と、を備え、前記制御部は、前記反転ローラ対の逆転によりシートを送り出す際には、シートの撓み量をシートを引き込む際の撓み量よりも少なくするよう前記押圧部の位置を制御することを特徴とするものである。
【発明の効果】
【００２０】
本発明のように、シートを送り出す際には、シートの撓み量をシートを引き込む際の撓み量よりも少なくするよう押圧部の位置を制御することにより、安価で、かつ安定してシートの引き込み及び送り出しを行うことができる。
【発明を実施するための最良の形態】
【００２１】
以下、本発明を実施するための最良の形態を、図面を参照しながら詳細に説明する。なお、以下の実施の形態に記載されている構成部品の寸法、材質、形状、それらの相対配置等は、本発明が適用される装置の構成や各種条件により適宜変更されるべきものであり、本発明の範囲をそれらのみに限定する趣旨のものではない。
【００２２】
図１は、本発明の実施の形態に係る画像形成装置の一例であるカラー複写機の概略構成を示す図である。
【００２３】
図１において、１００はカラー複写機、１０１はカラー複写機本体（以下、複写機本体という）である。この複写機本体１０１には画像形成部１０２、画像形成部１０２にシートＳを給送する給紙部１０３が設けられている。
【００２４】
ここで、画像形成部１０２には、感光ドラム１ａ、１次帯電器１ｂ、ロータリ現像器５０、現像後の画質を調整するポスト帯電器１ｃ等が配設されている。なお、このロータリ現像器５０は、トナーカートリッジと一体となったブラック用現像器５Ｋ、イエロー用現像器５Ｙ、マゼンタ用現像器５Ｍ、シアン用現像器５Ｃの４色の現像器を有している。また、このロータリ現像器５０は、回転軸５１の周りを矢印ａで示す反時計方向に回転し、必要時に所望の色の現像器５（５Ｙ，５Ｍ，５Ｃ，５Ｋ）を感光ドラム１ａと対向する現像位置へと移動させることが可能となっている。
【００２５】
さらに、画像形成部１０２には、４色のトナー像を重ねて転写作像した後、シートＳへ多色画像を転写する中間転写体である無端状の転写ベルト３、転写ベルト３からシートＳへトナー画像を転写する２次転写ローラ６が設けられている。なお、４は、感光ドラム上の残トナーをクリーニングするドラムクリーナ、２はレーザ露光光学系である。
【００２６】
また、給紙部１０３は、シートＳを収容して複写機本体１０１に着脱自在なカセット６１及び手差しカセット６４が設けられており、このカセット６１及び手差しカセット６４から画像形成部１０２に向けてシートＳが供給される。
【００２７】
なお、画像形成部１０２の上流側にはシートＳの姿勢位置精度を高め、転写ベルト上のトナー像に合わせてシートＳをタイミングよく送り出すレジストローラ７５が配設されている。また、画像形成部１０２の下流側には、トナー像が転写されたシートＳを搬送する転写搬送装置７７、シート上の未定着画像を定着する定着部８、画像が定着されたシートＳを複写機本体外に排出する排出ローラ対６２等が配設されている。
【００２８】
また、６３は複写機本体１０１の画像形成動作全般を制御する制御装置、１０４はシートサイズ、シートの種類（剛性）等の情報を制御装置６３に入力する入力部である操作部である。また、Ｓ１は、後述する湾曲した反転引き込みパス６７に設けられ、反転引き込みパス６７に引き込まれるシートを検知するセンサである。
【００２９】
次に、このような構成のカラー複写機１００の動作について説明する。
【００３０】
複写機本体１０１に設けられている制御装置６３から画像形成信号が出力されると、レーザ露光光学系２から光信号に変換された１色目の光像Ｅがレンズ及び各反射ミラーを経て感光ドラム上に投影される。なお、このとき感光ドラム１ａは、予め一次帯電器１ｂにより帯電されおり、光像Ｅが投影されることによって静電潜像が形成される。
【００３１】
次に、ロータリ現像器５０内に配された複数の現像器５のうち選択された１色目の色に対応した現像器５により静電潜像が現像され、１色目のトナー像が形成される。この後、感光ドラム上に形成されたトナー像はポスト帯電器１ｃによって電位が調整され、やがて転写位置で転写ベルト３上に転写される。
【００３２】
ここで、カラーモードの場合には、トナー像が転写された転写ベルト３は次のトナー像が形成転写されるよう更に回転する。なお、この間、ロータリ現像器５０は次の指定カラーの現像器を感光ドラム１ａに対向するよう矢印ａ方向に９０°回転し、次の静電潜像を現像する準備をする。
【００３３】
また、１次転写が終わった感光ドラム１はドラムクリーナ４によりクリーニングされた後、１色目同様、２色目、３色目、４色目と潜像、現像、１次転写を繰り返し、転写ベルト３上に各色のトナー画像を順次重ねていく。ここで、現像器内のトナーはトナー収納部から現像器内のトナー比率（或いはトナー量）を一定に保つ様に所定のタイミングにて随時補給される。
【００３４】
一方、このような画像形成動作に並行してカセット６１又は手差しカセット６４に収納されたシートＳは給紙ローラ７１〜７４により給送される。この後、給紙部１０３から給送されたシートＳはレジストローラ７５で斜行が補正され、さらにタイミングが合わされて転写ベルト３と２次転写ローラ７６とにより構成される二次転写部に送られる。
【００３５】
次に、このように二次転写部に送られたシートＳは、２次転写ローラ７６によりトナー像が転写された後、転写搬送装置７７により定着部８に搬送される。この後、定着部８により加熱及び加圧されることにより、シートＳに未定着転写画像が永久定着される。そして、このように画像が定着されたシートＳは排出ローラ６２により複写機本体１０１から排紙トレイ６５に排出される。
【００３６】
なお、本カラー複写機１００は両面画像形成機能を有しており、シートＳの両面に画像を形成する場合は、定着部８による第１面の定着処理が終了した後、シートＳは、まず反転切換え機構７０ａにより下方に搬送される。この後、シートＳは、反転パス６６を経由して搬送ローラ対７８Ｂ及び反転ローラ対７８Ａにより、湾曲した反転引き込みパス６７に一旦、引き込まれる。
【００３７】
次に、シートＳは、反転ローラ対７８Ａの逆転により、送り込まれた際の後端を先頭にして送り込まれた方向と反対向きに、即ち前後方向を反転させた状態で送り出されて両面搬送パス６８へと送られる。
【００３８】
なお、この両面搬送パス６８には複数の搬送ローラ対７９，８０が設けられており、反転ローラ対７８Ａの逆転で送り出されたシートは、最初に、複数の搬送ローラ対７９，８０のうちの最も上流側の搬送ローラ対である両面搬送ローラ対７９によって搬送される。この後、シートは、両面搬送ローラ対７９の下流側の搬送ローラ対８０によって搬送されて両面搬送パス６８内を通過していく。さらに、シートは、両面搬送パス６８を通過し、レジストローラ７５へと搬送され、再び既述した画像形成工程によってもう一方の面に画像を転写し排紙される。
【００３９】
また、シートＳを反転排紙させる場合には、定着器８をシートＳが通過後、すぐに反転切換え機構７０ａを駆動し、シートＳを反転パス６６を経由して反転引き込みパス６７に一旦、引き込む。この後、搬送ローラ対７８Ｂ及び反転ローラ対７８Ａの逆転により、送り込まれた際の後端を先頭にして、送り込まれた方向と反対向きに送り出し、排紙トレイ６５に排紙される。
【００４０】
図２及び図３は、このようにシートを一旦引き込んだ後、前後方向を反転させて送り出す反転部１０５の構成を示す図である。反転部１０５は湾曲した反転引き込みパス６７と、反転引き込みパス６７に設けられ、シートＳを反転引き込みパス６７に引き込んだ後、逆転してシートＳを反転させて送り出す正逆転可能な反転ローラ対７８Ａとを備えている。
【００４１】
なお、反転ローラ対７８Ａは、図２及び図３に示すように、駆動シャフト７８ａに対して圧入された複数の駆動ローラ７８Ａ１及び駆動ローラ７８Ａ１にバネ７８ｂにより付勢されて圧接している従動ローラ７８Ａ２を備えている。また、反転引き込みパス６７は、シート引き込み方向上流側が上方に湾曲した上部ガイド６７ａと、この上部ガイド６７ａと対向して設けられた下部ガイド６７ｂとにより形成されている。
【００４２】
ここで、本実施の形態においては、図４に示す通り、反転ローラ対７８Ａの下流側にはローラ対を設けていない。このため、反転ローラ対７８Ａによる反転引き込みパス６７への引き込み時に、特に薄紙のような腰の弱い（剛性の小さい）シートＳでは既述した図７の（ｂ）に示すように座屈やジャムが発生してしまう場合がある。
【００４３】
また、シート後端が定着器８を抜けた後に、所定の機内循環枚数を確保し、生産性を向上させるため、あるいは紙間を広げることでジャムマージンを広げるため等の理由によりシート搬送速度を増速させるが、これによっても座屈やジャムが発生する場合がある。
【００４４】
このため、本実施の形態においては、図２及び図３に示すように、反転ローラ対７８Ａに挟持された状態のシートＳを上方から押圧することにより、シートＳをシート引き込み方向と直交する方向（下方）に撓ませる押圧部である腰付け部９を設けている。
【００４５】
そして、この腰付け部９によってシートＳを下方に撓ませることにより、シートＳに対して腰付けを行うことができ、シートＳの引き込み方向における剛性を高めることができる。この結果、引き込まれる際、シートＳに座屈やジャムが発生するのを防ぐことができる。
【００４６】
なお、この腰付け部９は、反転ローラ対７８Ａに挟持された状態のシートＳを上方から押圧する押圧部材である腰付けコロ９１と、腰付けコロ９１を保持すると共に、上下方向に回動自在なコロ保持板９２とを備えている。そして、通常、コロ保持板９２の位置は腰付けコロ９１が、反転ローラ対７８Ａのニップによりも駆動ローラ７８Ａ１側で、かつ反転ローラ対７８Ａのニップよりも引き込み方向下流側に突出するように設定されている。
【００４７】
このように、腰付け部９によってシートＳに腰付けすることにより、反転ローラ対７８Ａの下流側に新たにローラ対を設けることなく、座屈やジャムの発生を防ぎながら、シートＳを搬送することができる。
【００４８】
ところで、もともと腰の強い厚紙等のシートは腰付けする必要はなく、また腰付けコロ９１に当接すると、シートＳに打痕等をつけてしまう恐れがある。このため、コロ保持板９２を板バネ等で付勢させておき、厚紙通紙時はシートの腰で腰付けコロ９１がシートに押圧されて退避するような構成を取っておくと良い。
【００４９】
なお、本実施の形態においては、シートＳに打痕等が付くのを確実に防ぐため、図５の（ａ）に示すようにソレノイド９６によりコロ保持板９２を、腰付けコロ９１がシートを押える位置と、腰付けコロ９１がシートと当接しない位置に移動可能としている。
【００５０】
そして、反転引き込みパス６７に引き込まれるシートをセンサＳ１（図４参照）が検知すると、このセンサＳ１からの検知信号は図６に示すように制御部６３に入力される。ここで、このようにセンサＳ１からの検知信号が入力されたとき、制御部６３は、予め操作部１０４から入力されているシート情報によりシートが厚紙等の腰の強いシートと判断した場合は、移動部材であるソレノイド９６を駆動する。
【００５１】
これにより、コロ保持板９２は上昇する。そして、これに伴い腰付けコロ９１は、シートＳを撓ませる第１位置からシートＳの撓み量を、シートＳを引き込む際の撓み量よりも少ない所定の撓み量とする第２位置へ退避する。なお、本実施の形態においては、第２位置に移動した腰付けコロ９１によるシートの撓み量は０であり、また第２位置では、腰付けコロ９１はシートと当接しない。この結果、シートＳに打痕等が付くのを確実に防ぐことができる。
【００５２】
また、シートＳが反転ローラ対７８Ａに入ってくる際に腰付け部９が反転ローラ７８Ａのニップから突出していると、これが打痕の原因となってしまう恐れがある。このため、薄紙搬送時においても、シート先端が反転ローラ対７８Ａに達する前に、制御部６３は予めソレノイド９６を作動させ、腰付けコロ９１が第２位置に退避させるようにする。
【００５３】
そして、シート先端が反転ローラ対７８Ａに挟持されてから、ソレノイド９６によりコロ保持板９２を介して腰付けコロ９１を反転ローラ対７８Ａのニップから突出する第１位置に移動させ、腰付けを行うようにすると良い。なお、シート搬送方向に対して短いシートＳの場合も反転部１０５で腰を付ける必要はないことから、この場合も予め腰付けコロ９１を第２位置に退避させるようにしても良い。
【００５４】
また、腰付けコロ９１の配置に関しては、腰付けコロ９１をシートＳの画像形成面側に配置すると、定着後の高温で且つトナーが多量に載った高光沢の画像面に、腰付けコロ９１が押し付けられた状態でシートが搬送される場合がある。この場合、光沢ムラが生じてしまう恐れがあることから、腰付けコロ９１はシートＳの画像形成面と反対側の面である非画像形成面側に配置すると良い。
【００５５】
ところで、腰付け部９により腰付けされたシートは、この後、反転引き込みパス６７の反転位置まで導かれた後、反転ローラ対７８Ａの逆転により、送り込まれた際の後端を先頭にして、引き込まれた方向と反対向きに送り出されて両面搬送パス６８へと送られる。
【００５６】
ここで、腰付け部９を反転ローラ対７８Ａに配置して、仮にシートを反転引き込みパス６７から送り出して両面搬送パス６８へと送る際にも、シートＳに腰付けがなされているとする。このように反転ローラ対７８Ａの逆転時にも腰付けを行うと、反転ローラ対７８Ａにより送り出されたシートを最初に挟持して搬送する両面搬送ローラ対７９やガイドへの受け渡しの際にシート先端に打痕を付けてしまったり、ジャムが発生してしまう恐れがある。
【００５７】
このため、シートＳを反転引き込みパス６７から送り出す際には、腰付けコロ９１を第２位置に退避させる。このため、本実施の形態では、反転ローラ対７８Ａを逆転するときに腰付けコロ９１を第１位置から第２位置へ移動するように制御部６３によりソレノイド９６を制御する。
【００５８】
なお、両面搬送ローラ対７９にシート先端が到達する前に腰付けコロ９１を第２位置へ移動する、即ち、両面搬送ローラ対７９にシート先端が到達するときには、腰付けコロ９１が第２位置へ位置しているように制御部６３がソレノイド９６を制御してもよい。このように制御すれば、反転ローラ対７８Ａの逆転後、反転ローラ対７８Ａによって送り出されたシートの先端が、両面搬送ローラ対７９に突入する際の打痕を少なくとも防止できる。
【００５９】
以上説明したように、本実施の形態では、シートを引き込む際に、腰付け部９によりシートに腰付けを行うと共に、腰付け部９の位置を制御し、シートを送り出す際には、シートの撓み量をシートを引き込む際の撓み量よりも少なくするようにしている。これにより、安価な構成にて、かつ腰の弱い薄紙やシート搬送方向に対して長い大サイズのシートでも、座屈やジャムがなく、安定してシートの引き込み及び送り出しを行うことができる。
【００６０】
なお、これまでは、腰付け部９として腰付けコロ９１を用いた場合について説明してきたが、例えばコロの代わりにガイド部材を用いても良い。そして、この場合、ガイド部材を、反転ローラ対７８Ａのニップに対して駆動反転ローラ７８Ａ１側に突出するように配置すると共に、シートの剛性等に応じて第２位置に退避可能とすることで同様の効果が得られる。
【００６１】
また、これまでは既述した図５の（ａ）に示すソレノイド９６によってコロ保持板９２を介して腰付けコロ９１を第１又は第２位置に選択的に移動させることにより、腰付け部９による腰付け量（撓み量）を変化させる場合について述べてきた。つまり、腰付けコロ９１のシートに対する位置を変更可能とし、ソレノイド９６により、腰付けコロ９１の位置を変化させる場合について述べてきた。
【００６２】
しかし、本発明は、これに限らず、例えば、図５の（ｂ）に示すように移動部材であるカム９７によりコロ保持板９２を第１位置と第２位置との間を移動可能としても良い。なお、このようにカム９７を用いることにより、コロ保持板９２は、第１位置と第２位置との間を連続的に移動可能となる。
【００６３】
これにより、腰付け量が多段階に設定可能となるので、シートＳの坪量やサイズに応じて腰付け量を適正に設定するようにすれば、打痕や光沢ムラ等を抑えたシートやシート上の画像を提供することができる。
【００６４】
一方、反転排紙時においても、シートを反転ローラ対７８Ａ及び搬送ローラ対７８Ｂに挟持した状態で反転引き込みパス６７に引き込むようにしている。ここで、本実施の形態に係るカラー複写機１００の構成（図１参照）では、反転ローラ対７８Ａより下流側まで送り込むシートの量は少なくて済むが、シート搬送方向に対して長いシートを考慮すると、やはり腰付け部９によりシートの腰付けを行うと良い。
【００６５】
また、反転排紙時にシートＳを反転引き込みパス６７から送り出す際、腰付けコロ９１がシートに当接していると、反転ローラ対７８Ａ及び搬送ローラ対７８Ｂによる搬送の負荷になるので、腰付けコロ９１を第２位置に移動させるのが好ましい。
【００６６】
なお、本実施の形態では述べていないが、当然反転排紙時にも一対のローラ対のみで挟持されている状態にてシートの反転動作を行う画像形成装置もあり、このような画像形成装置においても、本発明に係る腰付け部９を設けると有効である。
【図面の簡単な説明】
【００６７】
【図１】本発明の実施の形態に係る画像形成装置の一例であるカラー複写機の概略構成を示す図。
【図２】上記カラー複写機に設けられた反転部の構成を示す第１の図。
【図３】上記反転部の構成を示す第２の図。
【図４】上記反転部のシート反転動作を説明する図。
【図５】上記反転部に設けられた腰付け部による腰付け量（撓み量）を変化させるための構成を説明する図。
【図６】上記反転部の制御ブロック図。
【図７】従来の反転部のシート反転動作を説明する図。
【符号の説明】
【００６８】
９      腰付け部
６３    制御部
６７    反転引き込みパス
７８Ａ  反転ローラ対
９１    腰付けコロ
９２    コロ保持板
９６    ソレノイド
９７    カム
１００  カラー複写機
１０１  カラー複写機本体
１０２  画像形成部
１０５  反転部
Ｓ１    センサ
Ｓ      シート
【図１】
2009137681.tif 000003
【図２】
2009137681.tif 000004
【図３】
2009137681.tif 000005
【図４】
2009137681.tif 000006
【図５】
2009137681.tif 000007
【図６】
2009137681.tif 000008
【図７】
2009137681.tif 000009